(57)【要約】【課題】画像の表現を環境温度に応じて変更する。【解決手段】本発明の画像形成装置１０は、画像を記録紙に形成する画像形成部１２と、環境温度を検出する温度センサー２７と、この検出された環境温度に基づき、環境温度に応じて変化する予め設定された処理を上記画像に施す画像処理部２７と、を備えるものである。また、画像形成部１２は、カラー画像を記録紙に形成し、画像処理部２７は、上記環境温度に基づき、環境温度に応じて色が変化する処理をカラー画像に施す。更に、この処理は、上記環境温度に応じてカラー画像の白色基準となる色温度を変化させる処理である。【選択図】図２
2019188765.tif 000002
【特許請求の範囲】
【請求項１】
画像を記録紙に形成する画像形成部と、
環境温度を入力する温度入力部と、
前記入力した環境温度に基づき、該環境温度に応じて変化する予め設定された処理を前記画像に施す画像処理部と、を備える画像形成装置。
【請求項２】
前記画像形成部は、カラー画像を記録紙に形成し、
前記画像処理部は、前記入力した環境温度に基づき、前記処理として、該環境温度に応じて色を変化させる処理を前記カラー画像に施す請求項１に記載の画像形成装置。
【請求項３】
前記処理は、前記環境温度に応じて前記カラー画像の白色基準となる色温度を変化させる処理である請求項２に記載の画像形成装置。
【請求項４】
ユーザーにより操作される操作部を備え、
前記処理として複数種の処理が予め設定されており、
前記画像処理部は、前記操作部の操作により前記複数種の処理のいずれかが選択指示されると、前記環境温度に基づき、当該選択指示された処理を前記画像に施す請求項１乃至請求項３のいずれか１つに記載の画像形成装置。
【請求項５】
前記温度入力部は、前記環境温度を検出する温度センサー、外部の端末装置から送信された前記環境温度を受信する通信部、又はユーザーにより前記環境温度を入力するために操作される操作部、のうちの少なくとも１つである請求項１乃至請求項４のいずれか１つに記載の画像形成装置。
【請求項６】
画像を表示する表示部と、
環境温度を入力する温度入力部と、
前記入力した環境温度に基づき、該環境温度に応じて変化する予め設定された処理を前記画像に施す画像処理部と、を備える表示装置。
【請求項７】
前記表示部は、カラー画像を表示し、
前記画像処理部は、前記入力した環境温度に基づき、前記処理として、該環境温度に応じて色が変化する処理を前記カラー画像に施す請求項６に記載の表示装置。
【請求項８】
前記処理は、前記環境温度に応じて前記カラー画像の白色基準となる色温度を変化させる処理である請求項７に記載の表示装置。
【請求項９】
ユーザーにより操作される操作部を備え、
前記処理として複数種の処理が予め設定されており、
前記画像処理部は、前記操作部の操作により前記複数種の処理のいずれかが選択指示されると、前記環境温度に基づき、当該選択指示された処理を前記画像に施す請求項６乃至請求項８のいずれか１つに記載の表示装置。
【請求項１０】
前記温度入力部は、前記環境温度を検出する温度センサー、外部の端末装置から送信された前記環境温度を受信する通信部、又はユーザーにより前記環境温度を入力するために操作される操作部、のうちの少なくとも１つである請求項６乃至請求項９のいずれか１つに記載の表示装置。
【発明の詳細な説明】
【技術分野】
【０００１】
本発明は、画像を記録紙に形成する画像形成装置、及び画像を表示する表示装置に関し、特に、環境温度に応じて画像を処理する技術に関する。
【背景技術】
【０００２】
外気の温度に合わせて照明装置の色温度を制御して、暑いときは涼しげな演出を、寒いときは暖かく感じるような演出を行う技術が提案されている。例えば、特許文献１に記載の照明装置では、色温度の異なる２つのＬＥＤと、２つのＬＥＤ色温度を制御する点灯出力制御回路と、基準温度を記憶した基準温度記憶部と、外気の温度を検出する外気温度検知素子とを備え、点灯出力制御回路は、検出された外気の温度と基準温度との温度差を算出し、この温度差に基づいて２つのＬＥＤの色温度を制御している。これにより、外気の温度に合わせて照明装置の色温度を制御して、暑いときは涼しげな演出を、寒いときは暖かく感じるような演出を行う。
【先行技術文献】
【特許文献】
【０００３】
【特許文献１】特開２０１２−０４８９６６号公報
【発明の概要】
【発明が解決しようとする課題】
【０００４】
ところで、画像形成装置は、画像を記録紙に形成するものであるが、画像の表現を環境温度に応じて変更させることができれば、画像の表現が多様に変化して、その時々で画像の見え方が変わり、エンターテイメント性が高くなる。しかしながら、上記特許文献１では、照明装置の色温度を制御しているに過ぎず、画像の表現を多様に変化させていない。
【０００５】
本発明は、上記の事情に鑑みなされたものであり、画像の表現を環境温度に応じて変更することを目的とする。
【課題を解決するための手段】
【０００６】
本発明の一局面にかかる画像形成装置は、画像を記録紙に形成する画像形成部と、環境温度を入力する温度入力部と、前記入力した環境温度に基づき、該環境温度に応じて変化する予め設定された処理を前記画像に施す画像処理部と、を備えるものである。
【０００７】
また、本発明の一局面にかかる表示装置は、画像を表示する表示部と、環境温度を入力する温度入力部と、前記入力した環境温度に基づき、該環境温度に応じて変化する予め設定された処理を前記画像に施す画像処理部と、を備えるものである。
【発明の効果】
【０００８】
本発明によれば、画像の表現を環境温度に応じて変更することで、画像の表現を多様に変化させて、エンターテイメント性を高くすることができる。
【図面の簡単な説明】
【０００９】
【図１】本発明にかかる第１実施形態の画像形成装置の外観を示す斜視図である。
【図２】第１実施形態の画像形成装置の主要内部構成を示す機能ブロック図である。
【図３】第１実施形態の画像形成装置の環境温度に応じて変化する白色基準となる色温度の変化の特性を示すグラフである。
【図４】第１実施形態の画像形成装置による処理手順を示すフローチャートである。
【図５】第１実施形態の画像形成装置における表示部に表示された初期画面を示す平面図である。
【図６】表示部に表示された環境温度モード設定画面を示す平面図である。
【図７】本発明にかかる第２実施形態の表示装置の主要内部構成を示す機能ブロック図である。
【発明を実施するための形態】
【００１０】
以下、本発明の実施形態について図面を参照して説明する。
【００１１】
図１は、本発明にかかる第１実施形態の画像形成装置を示す断面図である。第１実施形態の画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記画像データ又は外部から受信した画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を、中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１５】
次に、画像形成装置１０の制御に係る構成について説明する。図２は、画像形成装置１０の主要内部構成を示す機能ブロック図である。図２に示すように画像形成装置１０は、制御ユニット２１、表示部２２、通信部２３、操作部２４、タッチパネル２５、画像メモリー２６、画像処理部２７、記憶部２８、温度センサー２９、画像読取部１１、及び画像形成部１２などを備えている。これらの構成要素は、互いにバスを通じてデータ又は信号の送受信が可能とされている。
【００１６】
表示部２２は、液晶ディスプレイ（ＬＣＤ：Liquid Crystal Display）や有機ＥＬ（ＯＬＥＤ：Organic Light-Emitting Diode）ディスプレイなどから構成される。
【００１７】
通信部２３は、通信モジュールを備える通信インターフェイスであり、外部の端末装置（図示せず）との間でデータ通信を行う。外部の端末装置としては、パーソナルコンピューター（ＰＣ）、サーバー、タブレット、スマートフォンなどがある。また、通信方式としては、有線又は無線ＬＡＮを用いた通信方式、ブルートゥース（登録商標）などがある。
【００１８】
操作部２４は、テンキー、決定キー、スタートキーなどのハードキーを備えている。
【００１９】
表示部２２の画面には、タッチパネル２５が重ねられている。タッチパネル２５は、所謂抵抗膜方式や静電容量方式などのタッチパネルであって、タッチパネル２５に対するユーザーの指などの接触（タッチ）をその接触位置と共に検知し、表示部２２の画面上のＧＵＩなどに対するユーザーの指示を入力する。従って、タッチパネル２５は、表示部２２の画面に対するユーザー操作が入力される操作部としての役割を果たす。
【００２０】
画像メモリー２６は、画像読取部１１により読取られた原稿の画像を示す画像データ、外部から受信した画像データを一時的に記憶する。
【００２１】
画像処理部２７は、画像メモリー２６内の画像データに対して、シェーディング補正などの様々な画像処理を施す。
【００２２】
記憶部２８は、ＲＡＭ、大容量のＨＤＤ（Hard Disk Drive）などからなり、各種のデータやプログラムを記憶している。
【００２３】
温度センサー２９は、画像形成装置１０の近辺の環境温度（気温）を検出する既知のセンサーである。
【００２４】
制御ユニット２１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１は、上記のＲＯＭまたは記憶部２８に記憶されている制御プログラムが上記のプロセッサーで実行されることにより、制御部３１として機能する。なお、制御部３１は、制御プログラムに基づく動作によらず、ハード回路により構成されてもよい。
【００２５】
制御部３１は、種々の処理を実行する処理部としての役割を果たす。制御部３１は、表示部２２を制御して、各種の設定画面や情報などを表示させる。制御部３１は、通信部２３の通信動作を制御する。
【００２６】
このような構成の画像形成装置１０において、制御部３１は、画像データを画像メモリー２６に記憶させ、画像処理部２７により画像メモリー２６内の画像データに対して各種の処理を施させ、この後に画像形成部１２により画像メモリー２６内の画像データが示す画像を記録紙に記録させる。
【００２７】
また、ユーザーは、カラー画像の形成に際し、予め設定された環境温度モードの処理を指示することができる。制御部３１は、その環境温度モードの処理が指示されると、画像処理部２７により画像メモリー２６内のカラー画像を示す画像データに対して該環境温度モードの処理を施させる。この環境温度モードの処理は、温度センサー２９により検出された環境温度Ｔに基づき、画像メモリー２６内のカラー画像を示す画像データに施される処理である。例えば、環境温度Ｔに応じて白色基準(白色の基準)となる色温度を変化させて、カラー画像のホワイトバランスを調節する。
【００２８】
更に、ユーザーは、環境温度モードの処理として、図３に示すようなグラフにおける２つの特性曲線Ａ、Ｂに対応する２種類の処理のいずれかを選択して指示することができる。
【００２９】
図３は、環境温度Ｔに応じて変化する白色基準となる色温度の変化の特性を示すグラフである。図３において、縦軸が環境温度Ｔを示し、横軸が色温度Ｋを示し、２つの特性曲線Ａ、Ｂが環境温度Ｔに応じた白色基準となる色温度の変化を示している。
【００３０】
特性曲線Ａは、環境温度Ｔが低くなる程、色温度Ｋが高くなるという白色基準（色温度）の変化を示している。ここで、カラー画像に対して白色基準となる色温度Ｋを高くするという処理を施すと、カラー画像が暖かい印象のもの（暖色系）となり、またカラー画像に対して白色基準となる色温度Ｋを低くするという処理を施すと、カラー画像が寒い印象のもの（寒色系）となる。従って、特性曲線Ａに基づき環境温度Ｔに対応する色温度Ｋを求めて、カラー画像に対して該色温度Ｋを白色基準とする処理を施した場合は、環境温度Ｔが低くなる程、カラー画像が暖かい印象のものとなり、また環境温度Ｔが高くなる程、カラー画像が寒い印象のものとなる。
【００３１】
また、特性曲線Ｂは、特性曲線Ａとは逆に、環境温度Ｔが低くなる程、色温度Ｋが低くなるという白色基準（色温度）の変化を示している。従って、特性曲線Ｂに基づき環境温度Ｔに対応する色温度Ｋを求めて、カラー画像に対して該色温度Ｋが白色基準となる処理を施した場合は、環境温度Ｔが低くなる程、カラー画像が寒い印象のものとなり、また環境温度Ｔが高くなる程、カラー画像が暖かい印象のものとなる。
【００３２】
これらの特性曲線Ａ、Ｂによって示される環境温度Ｔと色温度Ｋのそれぞれの対応関係は、記憶部２８に予め記憶されている。そして、Ｒ（赤色）、Ｇ（緑色）、Ｂ（青色）の画像データによってカラー画像が示されているものとすると、画像処理部２７は、記憶部２８内の特性曲線Ａ又はＢによって示される環境温度Ｔと色温度Ｋの対応関係を参照して、温度センサー２９により検出された環境温度Ｔに対応する色温度Ｋを求め、画像メモリー２６内のＲ、Ｇ、Ｂの画像データによって示されるカラー画像の画素毎に、Ｒの画素の値、Ｇの画素の値、Ｂの画素の値を補正して、色温度Ｋを白色基準にするという処理を該画像データに施す。
【００３３】
そして、画像処理部２７は、Ｒ、Ｇ、Ｂの画像データをマゼンタ、シアン、イエロー、ブラックの画像データに変換する。画像形成部１２の各画像形成ユニット３Ｍ、３Ｃ、３Ｙ、及び３Ｂｋは、マゼンタ、シアン、イエロー、ブラックの画像データに基づき、マゼンタの画像、シアンの画像、イエローの画像、ブラックの画像をそれぞれの感光体ドラム４の表面に形成し、それぞれの色の画像を中間転写ベルト５に転写して重ね合わせ、カラー画像を形成する。このカラー画像は、色温度Ｋが白色基準となるようなホワイトバランスを有するものである。
【００３４】
次に、上記のような環境温度モードの処理を指示して、カラー画像に対して該処理を施すための処理手順を、図４に示すフローチャートを参照して説明する。
【００３５】
まず、制御部３１は、画像形成装置１０の表示部２２に図５に示すような初期画面Ｇ１を表示させているものとする。この初期画面Ｇ１には、それぞれの機能に対応付けられた複数のソフトキー６１ａ〜６１ｈ等が表示されている。このとき、ユーザーが、環境温度モードの処理に対応するソフトキー６１ｈをタッチ操作すると、制御部３１は、タッチパネル２５を通じて、ソフトキー６１ｈに対するタッチ操作を受付け、図６に示すような環境温度モード設定画面Ｇ２を表示部２２の画面に表示させる（Ｓ１０１）。この環境温度モード設定画面Ｇ２には、図３に示すグラフにおける特性曲線Ａに対応する処理を設定する第１キーＫ１、図３に示すグラフにおける特性曲線Ｂに対応する処理を設定する第２キーＫ２、環境温度モードの処理を非設定とする非設定キーＫ３、及びＯＫキーＫ４が表示されている。
【００３６】
例えば、ユーザーが非設定キーＫ３及びＯＫキーＫ４を順次タッチ操作すると、制御部３１は、タッチパネル２５を通じて、非設定キーＫ３及びＯＫキーＫ４に対するタッチ操作を受け付け、環境温度モードの処理を非設定にして（Ｓ１０２「非設定」）、制御部３１により初期画面Ｇ１を再度表示させる。
【００３７】
そして、ユーザーが、原稿を画像読取部１１にセットし、操作部２４又はタッチパネル２５を操作して、カラーコピーの実行を指示すると、制御部３１は、画像読取部１１により原稿の画像を読取らせて、この原稿の画像を示すＲ、Ｇ、Ｂの画像データを画像メモリー２６に記憶させる（Ｓ１０３）。
【００３８】
画像処理部２７は、画像メモリー２６内のＲ、Ｇ、Ｂの画像データに対してシェーディング補正などの処理を施し、Ｒ、Ｇ、Ｂの画像データをマゼンタ、シアン、イエロー、ブラックの画像データに変換する一般的な画像処理を行う。ただし、上記Ｓ１０２で環境温度モードの処理を非設定にしているので、画像処理部２７は、画像メモリー２６内のＲ、Ｇ、Ｂの画像データに対して環境温度モードの処理を施すことはない（Ｓ１０４）。画像形成部１２は、画像メモリー２６内のマゼンタ、シアン、イエロー、ブラックの画像データを入力して、カラー画像を記録紙に形成し、この記録紙を排出する（Ｓ１０５）。
【００３９】
従って、環境温度モードの処理が非設定にされている場合は、カラーの画像データに対して、環境温度モードの処理が施されることはなく、シェーディング補正などの通常の他の処理が施され、この通常の他の処理が施された画像データによって示されるカラー画像が記録紙に形成される。
【００４０】
次に、ユーザーが環境温度モード設定画面Ｇ２における第１キーＫ１及びＯＫキーＫ４を順次タッチ操作したものとする。この場合、制御部３１は、タッチパネル２５を通じて、第１キーＫ１及びＯＫキーＫ４に対するタッチ操作を受付け、図３に示すグラフにおける特性曲線Ａに対応する環境温度モードの処理を設定して（Ｓ１０２「Ａ」）、制御部３１により初期画面Ｇ１を再度表示させる。
【００４１】
そして、ユーザーが、原稿を画像読取部１１にセットし、操作部２４又はタッチパネル２５を操作して、カラーコピーの実行を指示すると、制御部３１は、画像読取部１１により原稿の画像を読取らせて、この原稿の画像を示すＲ、Ｇ、Ｂの画像データを画像メモリー２６に記憶させる（Ｓ１０６）。
【００４２】
画像処理部２７は、画像メモリー２６内のＲ、Ｇ、Ｂの画像データに対してシェーディング補正などの処理を施し、Ｒ、Ｇ、Ｂの画像データをマゼンタ、シアン、イエロー、ブラックの画像データに変換する一般的な画像処理を行う。画像処理部２７は、その画像データの変換前に、上記Ｓ１０２で特性曲線Ａに対応する環境温度モードの処理が設定されているので、記憶部２８内の特性曲線Ａによって示される環境温度Ｔと色温度Ｋの対応関係を参照して、温度センサー２９により検出された環境温度Ｔに対応する色温度Ｋを求め、画像メモリー２６内のＲ、Ｇ、Ｂの画像データに対して該色温度Ｋを白色基準にするという処理を更に施す（Ｓ１０７）。このとき、制御部３１は、環境温度モードの処理を施されたＲ、Ｇ、Ｂの画像データに基づき、処理後のカラー画像を表示部２２にプレビュー表示させる。
【００４３】
画像形成部１２は、画像メモリー２６内のマゼンタ、シアン、イエロー、ブラックの画像データを入力して、カラー画像を記録紙に形成し、この記録紙を排出する（Ｓ１０５）。
【００４４】
従って、特性曲線Ａに対応する環境温度モードの処理が選択されている場合は、カラーの画像データに対して、特性曲線Ａによって示される環境温度Ｔに対応する色温度Ｋを白色基準にするという処理及び通常の他の処理が施され、これらの処理が施された画像データによって示されるカラー画像が記録紙に形成される。この場合、環境温度Ｔが低くなる程、カラー画像が暖かい印象のものとなり、また環境温度Ｔが高くなる程、カラー画像が寒い印象のものとなる。
【００４５】
次に、ユーザーが環境温度モード設定画面Ｇ２における第２キーＫ２及びＯＫキーＫ４を順次タッチ操作したものとする。この場合、制御部３１は、タッチパネル２５を通じて、第２キーＫ２及びＯＫキーＫ４に対するタッチ操作を受付け、図３に示すグラフにおける特性曲線Ｂに対応する環境温度モードの処理を設定して（Ｓ１０２「Ｂ」）、制御部３１により初期画面Ｇ１を再度表示させる。
【００４６】
そして、ユーザーが、原稿を画像読取部１１にセットし、カラーコピーの実行を指示すると、制御部３１は、画像読取部１１により原稿の画像を読取らせて、この原稿の画像を示すＲ、Ｇ、Ｂの画像データを画像メモリー２６に記憶させる（Ｓ１０８）。
【００４７】
画像処理部２７は、画像メモリー２６内のＲ、Ｇ、Ｂの画像データに対してシェーディング補正などの画像処理を施したり、Ｒ、Ｇ、Ｂの画像データをマゼンタ、シアン、イエロー、ブラックの画像データに変換したりする。また、画像処理部２７は、その画像データの変換前に、上記Ｓ１０２で特性曲線Ｂに対応する環境温度モードの処理が設定されているので、記憶部２８内の特性曲線Ｂによって示される環境温度Ｔと色温度Ｋの対応関係を参照して、温度センサー２９により検出された環境温度Ｔに対応する色温度Ｋを求め、画像メモリー２６内のＲ、Ｇ、Ｂの画像データに対して該色温度Ｋを白色基準にするという処理を施す（Ｓ１０９）。制御部３１は、環境温度モードの処理を施されたＲ、Ｇ、Ｂの画像データに基づき、処理後のカラー画像を表示部２２にプレビュー表示させる。
【００４８】
画像形成部１２は、画像メモリー２６内のマゼンタ、シアン、イエロー、ブラックの画像データを入力して、カラー画像を記録紙に形成し、この記録紙を排出する（Ｓ１０５）。
【００４９】
従って、特性曲線Ｂに対応する環境温度モードの処理が選択されている場合は、カラーの画像データに対して、特性曲線Ｂによって示される環境温度Ｔに対応する色温度Ｋを白色基準にするという処理及び通常の他の処理が施され、これらの処理が施された画像データによって示されるカラー画像が記録紙に形成される。この場合、環境温度Ｔが低くなる程、カラー画像が寒い印象のものとなり、また環境温度Ｔが高くなる程、カラー画像が暖かい印象のものとなる。
【００５０】
このように第１実施形態の画像形成装置１０では、特性曲線Ａ又はＢに対応する環境温度モードの処理が選択されると、記録紙に形成されるカラー画像の印象が環境温度Ｔに応じて変化する。例えば、特性曲線Ａに対応する環境温度モードの処理が選択されている場合は、環境温度Ｔが低くなる程、カラー画像が暖かい印象のものとなり、また環境温度Ｔが高くなる程、カラー画像が寒い印象のものとなるので、ユーザーが受ける環境温度Ｔの変化によるストレスを緩和させるという効果を期待することができる。また、特性曲線Ｂに対応する環境温度モードの処理を選択した場合は、環境温度Ｔが低くなる程、カラー画像が寒い印象のものとなり、また環境温度Ｔが高くなる程、カラー画像が暖かい印象のものとなるので、ユーザーに対して環境温度Ｔの変化を増幅させて印象付けることができる。
【００５１】
従って、第１実施形態にかかる画像形成装置１によれば、画像の表現を環境温度に応じて変更することで、画像の表現を多様に変化させて、エンターテイメント性を高くすることができる。
【００５２】
なお、第１実施形態では、温度センサー２９により画像形成装置１０の近辺の環境温度Ｔを検出して用いているが、外部の端末装置から送信された環境温度（気温）を通信部２３で受信して用いてもよい。あるいは、ネットワーク資源の気温の情報を通信部２３で受信して用いてもよい。また、ユーザーが操作部２４を操作して環境温度を入力し、この環境温度を用いても構わない。
【００５３】
また、環境温度モードの処理として、環境温度Ｔに対応する色温度Ｋを求め、カラー画像を示す画像データに対して該色温度Ｋを白色基準にするという処理を例示しているが、他の処理を画像データに施しても構わない。例えば、画像に対して環境温度Ｔに応じて色が変化する背景画像を追加したり環境温度Ｔに応じて変化するメッセージを印したりするという処理を、画像データに施してもよい。
【００５４】
上記実施形態にかかる画像形成装置１は、表示部４２を備え、制御部３１が、環境温度モードの処理を施されたＲ、Ｇ、Ｂの画像データに基づき、処理後のカラー画像を表示部２２にプレビュー表示させるという点で、特許請求の範囲における表示装置の一実施形態でもある。なお、下記には、画像形成装置１ではない表示装置の一実施形態を説明する。
【００５５】
図７は、本発明にかかる第２実施形態の表示装置の構成を示すブロック図である。第２実施形態の表示装置４０は、パーソナルコンピューター（ＰＣ）、タブレット、スマートフォンなどであり、制御ユニット４１、表示部４２、通信部４３、操作部４４、画像メモリー４６、画像処理部４７、記憶部４８、温度センサー４９などを備えている。これらの構成要素は、互いにバスを通じてデータ又は信号の送受信が可能とされている。なお、以下において特に説明がない構成及び処理は、第１実施形態と同様、又は同様にして行われる。
【００５６】
表示部４２は、液晶ディスプレイや有機ＥＬディスプレイなどから構成される。
【００５７】
通信部４３は、通信モジュールを備える通信インターフェイスであり、外部の端末装置（図示せず）との間でデータ通信を行う。
【００５８】
操作部４４は、キーボードやポインティングデバイスである。
【００５９】
画像メモリー４６は、表示部４２に表示される静止画又は動画を示す画像データを一時的に記憶する。
【００６０】
画像処理部４７は、画像メモリー４６内の画像データに対して画像処理を施す。
【００６１】
記憶部４８は、ＲＡＭ、ＲＯＭ、大容量のＨＤＤなどからなり、各種のデータやプログラムを記憶している。
【００６２】
温度センサー４９は、表示装置４０の近辺の環境温度（気温）を検出する既知のセンサーである。
【００６３】
制御ユニット４１は、プロセッサー、ＲＡＭ、及びＲＯＭなどから構成される。この制御ユニット４１は、上記のＲＯＭまたは記憶部４８に記憶された制御プログラムが上記のプロセッサーで実行されることにより、制御部５１として機能する。なお、制御ユニット４１の上記制御部５１は、制御プログラムに基づく動作によらず、ハード回路により構成されてもよい。
【００６４】
制御部５１は、種々の処理を実行する処理部としての役割を果たす。制御部５１は、表示部４２を制御して、各種の設定画面や情報などを表示させる。制御部５１は、通信部４３の通信動作を制御する。
【００６５】
このような構成の表示装置４０において、制御部５１は、カラー画像（静止画又は動画）を表示部４２に表示させるに際し、カラー画像を示すＲ、Ｇ、Ｂの画像データを画像メモリー４６に記憶させ、画像処理部４７により画像メモリー４６内のＲ、Ｇ、Ｂの画像データに対して上記の環境温度モードの処理を施させ、制御部５１により画像メモリー４６内のＲ、Ｇ、Ｂの画像データが示すカラー画像を表示部４２に表示させることができる。
【００６６】
環境温度モードの処理としては、図３に示す特性曲線Ａに基づく処理及び特性曲線Ｂに基づく処理があり、特性曲線Ａ、Ｂによって示される環境温度Ｔと色温度Ｋのそれぞれの対応関係が記憶部４８に予め記憶されている。画像処理部４７は、記憶部４８内の特性曲線Ａ又はＢによって示される環境温度Ｔと色温度Ｋの対応関係を参照して、温度センサー４９により検出された環境温度Ｔに対応する色温度Ｋを求め、画像メモリー４６内のＲ、Ｇ、Ｂの画像データによって示されるカラー画像の画素毎に、Ｒの画素の値、Ｇの画素の値、Ｂの画素の値を補正し、色温度Ｋを白色基準にするという処理を該画像データに施す。
【００６７】
ここで、ユーザーが、操作部４４を操作して、環境温度モードの処理を指示すると、制御部５１は、その指示を受け付けて、制御部５１により図６に示すような環境温度モード設定画面Ｇ２を表示部４２の画面に表示させる。この状態で、ユーザーは、環境温度モード設定画面Ｇ２における第１キーＫ１、第２キーＫ２、非設定キーＫ３、及びＯＫキーＫ４を選択的に指示することができる
【００６８】
例えば、ユーザーが非設定キーＫ３及びＯＫキーＫ４を順次指示すると、制御部５１は、非設定キーＫ３及びＯＫキーＫ４に対する指示を受付け、環境温度モードの処理を非設定にする。この場合、画像処理部４７は、画像メモリー４６内のＲ、Ｇ、Ｂの画像データに対して環境温度モードの処理を施すことはない。制御部５１は、画像メモリー４６内のＲ、Ｇ、Ｂの画像データが示すカラー画像を表示部４２に表示させる。
【００６９】
従って、環境温度モードの処理を非設定にした場合は、Ｒ、Ｇ、Ｂの画像データに対して環境温度モードの処理が施されることはなく、通常のカラー画像が表示部４２に表示される。
【００７０】
また、ユーザーが第１キーＫ１及びＯＫキーＫ４を順次指示すると、制御部５１は、第１キーＫ１及びＯＫキーＫ４に対する指示を受付け、特性曲線Ａに対応する環境温度モードの処理を設定する。この場合、画像処理部４７は、記憶部４８内の特性曲線Ａによって示される環境温度Ｔと色温度Ｋの対応関係を参照して、温度センサー４９により検出された環境温度Ｔに対応する色温度Ｋを求め、画像メモリー４６内のＲ、Ｇ、Ｂの画像データに対して該色温度Ｋを白色基準にするという処理を施す。制御部５１は、画像メモリー４６内のＲ、Ｇ、Ｂの画像データが示すカラー画像を表示部４２に表示させる。
【００７１】
従って、特性曲線Ａに対応する環境温度モードの処理を選択した場合は、Ｒ、Ｇ、Ｂの画像データに対して、特性曲線Ａによって示される環境温度Ｔに対応する色温度Ｋを白色基準にするという処理が施され、よって環境温度Ｔが低くなる程、カラー画像が暖かい印象のものとなり、また環境温度Ｔが高くなる程、カラー画像が寒い印象のものとなる。
【００７２】
また、ユーザーが第２キーＫ２及びＯＫキーＫ４を順次指示すると、制御部５１は、第２キーＫ２及びＯＫキーＫ４に対する指示を受付け、特性曲線Ｂに対応する環境温度モードの処理を設定する。この場合、画像処理部４７は、記憶部４８内の特性曲線Ｂによって示される環境温度Ｔと色温度Ｋの対応関係を参照して、温度センサー４９により検出された環境温度Ｔに対応する色温度Ｋを求め、画像メモリー４６内のＲ、Ｇ、Ｂの画像データに対して該色温度Ｋを白色基準にするという処理を施す。制御部５１は、画像メモリー４６内のＲ、Ｇ、Ｂの画像データが示すカラー画像を表示部４２に表示させる。
【００７３】
従って、特性曲線Ｂに対応する環境温度モードの処理を選択した場合は、画像データに対して、特性曲線Ｂによって示される環境温度Ｔに対応する色温度Ｋを白色基準にするという処理が施され、よって環境温度Ｔが低くなる程、カラー画像が寒い印象のものとなり、また環境温度Ｔが高くなる程、カラー画像が暖かい印象のものとなる。
【００７４】
このような第２実施形態の表示装置４０においても、環境温度Ｔに応じてカラー画像の印象が変わるので、ユーザーが受ける環境温度Ｔの変化によるストレスを緩和させたり、ユーザーに対して環境温度Ｔの変化を増幅させて印象付けたりすることができる。
【００７５】
尚、第２実施形態でも、第１実施形態と同様に、温度センサー４９により検出された環境温度Ｔを用いている他に、外部の端末装置から送信された環境温度（気温）を通信部４３で受信して用いたり、ネットワーク資源の気温の情報を通信部４３で受信して用いたり、操作部４４の操作により入力された環境温度を用いたりしてもよい。
【００７６】
また、環境温度モードの処理として、他の処理を画像データに施しても構わない。例えば、画像に対して環境温度Ｔに応じて色が変化する背景画像を追加したり環境温度Ｔに応じて変化するメッセージを印したりするという処理を、画像データに施してもよい。
【００７７】
尚、図１乃至図７を用いて説明した上記実施形態及び変形例の構成及び処理は、本発明の一例に過ぎず、本発明を当該構成及び処理に限定する趣旨ではない。
【符号の説明】
【００７８】
１０          画像形成装置
１１          画像読取部
１２          画像形成部
２１、４１    制御ユニット
２２、４２    表示部
２４、４４    操作部
２５、４５        タッチパネル
２６、４６    画像メモリー
２７、４７    画像処理部
２８、４８    記憶部
２９、４９    温度センサー
３１、５１    制御部
４０          表示装置
【図１】
2019188765.tif 000003
【図２】
2019188765.tif 000004
【図３】
2019188765.tif 000005
【図４】
2019188765.tif 000006
【図５】
2019188765.tif 000007
【図６】
2019188765.tif 000008
【図７】
2019188765.tif 000009